(57)【要約】【課題】  複数の物品収容区画を備える取手付キャリー箱において、組立性を向上し、かつ底強度を向上すること。【解決手段】  正面パネル１１と背面パネル１２に連設した内底パネル１６、１７を箱胴体１０Ａの底部に敷設し、内底パネル１６、１７に連設した取手パネル１８、１９を箱胴体１０Ａの底部１０Ｂの中央に立設し、両端面パネル１２、１４に連設した外底パネル２１、２２を内底パネル１６、１７の外側に重ね合せ、外底パネル２１、２２に連設した仕切パネル２３、２４を箱胴体１０Ａの底部１０Ｂの一方側寄りと他方側寄りに立設するように折り曲げてなるもの。【選択図】  図１
2006103769.tif 000002
【特許請求の範囲】
【請求項１】
正面パネルの縦辺に一方側の端面パネルを連設し、該一方側の端面パネルの縦辺に背面パネルを連設し、該背面パネルの縦辺に他方側の端面パネルを連設し、該他方側の端面パネルの縦辺に正面パネルを連設し、正面パネルと背面パネルと両端面パネルにより角筒状の箱胴体を形成し、
正面パネルと背面パネルのそれぞれの横辺に正面側と背面側の各内底パネルを連設し、各内底パネルの横辺に正面側と背面側の各取手パネルを連設し、各内底パネルを箱胴体の底部の正面側と背面側のそれぞれに敷設し、かつ各取手パネルを箱胴体の底部の中央に立設するように折り曲げ、
両端面パネルのそれぞれの横辺に一方側寄りと他方側寄りの各外底パネルを連設し、各外底パネルの横辺に一方側寄りと他方側寄りの各仕切パネルを連設し、先端部の中央にスリットを設けた各仕切パネルを、各内底パネルの正面パネル又は背面パネルとの連設辺を起点とし、各取手パネルの基端部に渡る、それらの一方側寄りと他方側寄りのそれぞれに設けたスリットに嵌め込み、両内底パネルの一方側寄りと他方側寄りの外側に各外底パネルを重ね合せ、かつ各仕切パネルを箱胴体の底部の一方側寄りと他方側寄りに立設するように折り曲げてなる取手付キャリー箱。
【請求項２】
前記正面パネルが正面外側パネルと正面内側パネルからなり、正面外側パネルの上側横辺に正面内側パネルを連設し、正面内側パネルの上側横辺に正面側の内底パネルを連設し、正面内側パネルを正面外側パネルの内側に重ね合せるように折り曲げ、
前記背面パネルが背面外側パネルと背面内側パネルからなり、背面外側パネルの上側横辺に背面内側パネルを連設し、背面内側パネルの上側横辺に背面側の内底パネルを連設し、背面内側パネルを背面外側パネルの内側に重ね合せるように折り曲げ、
前記各端面パネルが端面外側パネルと端面内側パネルからなり、端面外側パネルの上側横辺に端面内側パネルを連設し、端面内側パネルの上側横辺に外底パネルを連設し、端面内側パネルを端面外側パネルの内側に重ね合せるように折り曲げてなる請求項１に記載の取手付キャリー箱。
【請求項３】
前記両端面内側パネルの中央に上側横辺を起点とするスリットを設けるとともに、両取手パネルの両側辺の下部に凸部を設け、両取手パネルの凸部のそれぞれを各端面内側パネルのスリットに係入してなる請求項２に記載の取手付キャリー箱。
【発明の詳細な説明】
【技術分野】
【０００１】
本発明は取手付キャリー箱に係り、特に１枚の段ボール紙、板紙等のブランクを折り曲げて形成される取手付キャリー箱に関する。
【背景技術】
【０００２】
取手付キャリー箱として、特許文献１に記載の如く、正面パネルと背面パネルと両端面パネルと底パネルと取手パネルと両仕切パネルからなり、正面パネルと背面パネルと両端面パネルにより角筒状の箱胴体を形成し、取手パネルを箱胴体の底部の正面側と背面側の間の中央に立設し、各仕切パネルを箱胴体の底部の左右の一方側寄りと他方側寄りに立設してなるものがある。この取手付キャリー箱では、箱胴体の内部で、取手パネルを挟む正面側と背面側の各１列に、両仕切パネルが仕切る各３個の物品収容区画を形成し、全６本のびん等の物品を収容可能にする。
【特許文献１】特表平10-500380
【発明の開示】
【発明が解決しようとする課題】
【０００３】
特許文献１の取手付キャリー箱には以下の問題点がある。
(1)箱胴体の底部に取手パネルや仕切パネルを立設して物品収容区画を形成するのに、取手パネルや仕切パネルを接着する必要があり、組立性が悪い。
【０００４】
(2)箱胴体の底部が、正面パネルに連設した左右一方側の底パネルと背面パネルに連設した左右他方側の底パネルを該底部の中央でつないで構成されるものであり、物品収容区画に収容したびん等の物品を支持する底強度が低い。
【０００５】
本発明の課題は、複数の物品収容区画を備える取手付キャリー箱において、組立性を向上し、かつ底強度を向上することにある。
【課題を解決するための手段】
【０００６】
請求項１の発明は、正面パネルの縦辺に一方側の端面パネルを連設し、該一方側の端面パネルの縦辺に背面パネルを連設し、該背面パネルの縦辺に他方側の端面パネルを連設し、該他方側の端面パネルの縦辺に正面パネルを連設し、正面パネルと背面パネルと両端面パネルにより角筒状の箱胴体を形成し、正面パネルと背面パネルのそれぞれの横辺に正面側と背面側の各内底パネルを連設し、各内底パネルの横辺に正面側と背面側の各取手パネルを連設し、各内底パネルを箱胴体の底部の正面側と背面側のそれぞれに敷設し、かつ各取手パネルを箱胴体の底部の中央に立設するように折り曲げ、両端面パネルのそれぞれの横辺に一方側寄りと他方側寄りの各外底パネルを連設し、各外底パネルの横辺に一方側寄りと他方側寄りの各仕切パネルを連設し、先端部の中央にスリットを設けた各仕切パネルを、各内底パネルの正面パネル又は背面パネルとの連設辺を起点とし、各取手パネルの基端部に渡る、それらの一方側寄りと他方側寄りのそれぞれに設けたスリットに嵌め込み、両内底パネルの一方側寄りと他方側寄りの外側に各外底パネルを重ね合せ、かつ各仕切パネルを箱胴体の底部の一方側寄りと他方側寄りに立設するように折り曲げてなるようにしたものである。
【０００７】
請求項２の発明は、請求項１の発明において更に、前記正面パネルが正面外側パネルと正面内側パネルからなり、正面外側パネルの上側横辺に正面内側パネルを連設し、正面内側パネルの上側横辺に正面側の内底パネルを連設し、正面内側パネルを正面外側パネルの内側に重ね合せるように折り曲げ、前記背面パネルが背面外側パネルと背面内側パネルからなり、背面外側パネルの上側横辺に背面内側パネルを連設し、背面内側パネルの上側横辺に背面側の内底パネルを連設し、背面内側パネルを背面外側パネルの内側に重ね合せるように折り曲げ、前記各端面パネルが端面外側パネルと端面内側パネルからなり、端面外側パネルの上側横辺に端面内側パネルを連設し、端面内側パネルの上側横辺に外底パネルを連設し、端面内側パネルを端面外側パネルの内側に重ね合せるように折り曲げてなるようにしたものである。
【０００８】
請求項３の発明は、請求項２の発明において更に、前記両端面内側パネルの中央に上側横辺を起点とするスリットを設けるとともに、両取手パネルの両側辺の下部に凸部を設け、両取手パネルの凸部のそれぞれを各端面内側パネルのスリットに係入してなるようにしたものである。
【発明の効果】
【０００９】
（請求項１）
(a)取手パネルは内底パネルを介し、仕切パネルは外底パネルを介し、それぞれ、正面パネルと背面パネルと両端面パネルからなる箱胴体に連設一体化される。そして、取手パネルと仕切パネルは、接着によることなく、それらの折り曲げにより、箱胴体の底部に立設して物品収容区画を形成するものであり、組立性が良い。
【００１０】
(b)箱胴体の底部を構成する内底パネルは、正面パネル又は背面パネルと、取手パネルとに安定的に両端支持されるし、外底パネルが外側に重ね合される。従って、これらの内底パネルと外底パネルの二重底からなる底強度は高く、物品収容区画に収容したびん等の物品を安定的に支持する。
【００１１】
（請求項２）
(c)段ボール紙、板紙等のブランクが化粧表面と、非化粧裏面とを備えるとき、キャリー箱の外観に表われる箱胴体の外側面及び内側面、底部上面、取手パネルの外面の全てに化粧表面を位置づけることができ、ブランクの一面（表面）だけに印刷処理すれば足りる等、生産性を向上できる。これは、正面パネルを正面外側パネルと正面内側パネルとからなるものにし、正面内側パネルを正面外側パネルの内側に重ね合せるように折り曲げたこと、背面パネルを背面外側パネルと背面内側パネルとからなるものにし、背面内側パネルを背面外側パネルの内側に重ね合せるように折り曲げたこと、各端面パネルを端面外側パネルと端面内側パネルからなるものにし、端面内側パネルを端面外側パネルの内側に重ね合せるように折り曲げたことによる。
【００１２】
（請求項３）
(d)両取手パネルの両側辺に設けた凸部を、各端面内側パネルのスリットに係入したから、箱胴体に対する取手パネルの抜け止めの確実を図ることができる。
【発明を実施するための最良の形態】
【００１３】
図１は取手付キャリー箱を示す斜視図、図２は取手付キャリー箱のブランクを示す展開図、図３は第１折り曲げ段階の取手付キャリー箱を示す斜視図、図４は第２折り曲げ段階の取手付キャリー箱を示す斜視図、図５は第３折り曲げ段階の取手付キャリー箱を示す斜視図、図６は第４折り曲げ段階の取手付キャリー箱を示す斜視図、図７は第５折り曲げ段階の取手付キャリー箱を示す斜視図である。
【実施例】
【００１４】
図１の取手付キャリー箱１０は、飲料用びん等を収容する区画、特に６個の区画を形成し、各区画の間に仕切を介して隣接するびん等の接触による破損を防止するものである。
【００１５】
取手付キャリー箱１０は、図２の例えば段ボール紙からなるブランク１から製作される。ブランク１の段ボール紙は、表面を白ライナーからなる化粧表面とし、裏面をジュートライナーからなる非化粧裏面とする。
【００１６】
取手付キャリー箱１０は、正面パネル１１（正面外側パネル１１Ａ）の縦辺（折り曲げ線）ａに左右一方側の端面パネル１２（端面外側パネル１２Ａ）を連設し、端面パネル１２（端面外側パネル１２Ａ）の縦辺（折り曲げ線）ｂに背面パネル１３（背面外側パネル１３Ａ）を連設し、背面パネル１３（背面外側パネル１３Ａ）の縦辺（折り曲げ線）ｃに左右他方側の端面パネル１４（端面外側パネル１４Ａ）を連設し、端面パネル１４（端面外側パネル１４Ａ）の縦辺（折り曲げ線）に正面パネル１１（正面外側パネル１１Ａ）に付設した糊付フラップ１５を接着して連設し、正面パネル１１と背面パネル１３と両端面パネル１２、１４により角筒状の箱胴体１０Ａを形成する。
【００１７】
取手付キャリー箱１０は、正面パネル１１（正面内側パネル１１Ｂ）と背面パネル１３（背面内側パネル１３Ｂ）のそれぞれの横辺（折り曲げ線）ｄ、ｅに、正面側と背面側の各内底パネル１６、１７を連設し、各内底パネル１６、１７の横辺（折り曲げ線）ｆ、ｇに、正面側と背面側の各取手パネル１８、１９を連設する。取手付キャリー箱１０は、各内底パネル１６、１７を箱胴体１０Ａの底部１０Ｂの正面側と背面側のそれぞれに敷設し、かつ各取手パネル１８、１９を箱胴体の底部１０Ｂの正面側と背面側の間の中央に立設するように折り曲げる。各取手パネル１８、１９は、箱胴体１０Ａの底部１０Ｂの中央に立設された状態で互いに重なり合い、互いに合致する取手孔１８Ａ、１９Ａを備える。
【００１８】
取手付キャリー箱１０は、各端面パネル１２、１４（端面内側パネル１２Ｂ、１４Ｂ）のそれぞれの横辺（折り曲げ線）ｈ、ｉに左右一方側寄りと左右他方側寄りの各外底パネル２１、２２を連設し、各外底パネル２１、２２の横辺（折り曲げ線）ｊ、ｋに左右一方側寄りと左右他方側寄りの各仕切パネル２３、２４を連設する。取手付キャリー箱１０は、先端部の中央にスリット３０、４０を延在させて設けた各仕切パネル２３、２４を、各内底パネル１６、１７の正面パネル１１（正面内側パネル１１Ｂ）又は背面パネル１３（背面内側パネル１３Ｂ）との連設辺ｄ、ｅを起点とし、各取手パネル１８、１９の基端部内に渡る、それらの左右一方側寄りと左右他方側寄りのそれぞれに設けたスリット３１、３２、スリット４１、４２に嵌め込む。スリット３１、３２は内底パネル１６、１７と取手パネル１８、１９の横辺ｄ、ｅに沿う長さＬを３等分し、各外底パネル２１、２２の高さをＨとするとき（図２）、Ｌ／３＝Ｈである。これにより、取手付キャリー箱１０は、両内底パネル１６、１７の左右一方側寄りと左右他方側寄りの外側に各外底パネル２１、２２を重ね合せ、かつ各仕切パネル２３、２４を箱胴体１０Ａの底部１０Ｂの左右一方側寄りと左右他方側寄りに立設し、取手パネル１８、１９の両側に各３個の物品収容区画を仕切形成する。
【００１９】
ここで、取手付キャリー箱１０は、正面パネル１１が正面外側パネル１１Ａと正面内側パネル１１Ｂからなり、正面外側パネル１１Ａの上側横辺（折り曲げ線）ｌに正面内側パネル１１Ｂを連設し、正面内側パネル１１Ｂの上側横辺（折り曲げ線）ｄに正面側の内底パネル１６を連設し、正面内側パネル１１Ｂを正面外側パネル１１Ａの内側に重ね合せるように折り曲げる。尚、正面外側パネル１１Ａの上側横辺ｌの中央部には山形切線が設けられている。
【００２０】
取手付キャリー箱１０は、背面パネル１３が背面外側パネル１３Ａと背面内側パネル１３Ｂからなり、背面外側パネル１３Ａの上側横辺（折り曲げ線）ｍに背面内側パネル１３Ｂを連設し、背面内側パネル１３Ｂの上側横辺（折り曲げ線）ｅに背面側の内底パネル１７を連設し、背面内側パネル１３Ｂを背面外側パネル１３Ａの内側に重ね合せるように折り曲げる。尚、背面外側パネル１３Ａの上側横辺ｍの中央部には山形切線が設けられている。
【００２１】
取手付キャリー箱１０は、各端面パネル１２、１４が端面外側パネル１２Ａ、１４Ａと端面内側パネル１２Ｂ、１４Ｂからなり、端面外側パネル１２Ａ、１４Ａの上側横辺（折り曲げ線）ｎ、ｏに端面内側パネル１２Ｂ、１４Ｂを連設し、端面内側パネル１２Ｂ、１４Ｂの上側横辺（折り曲げ線）ｈ、ｉに外底パネル２１、２２を連設し、端面内側パネル１２Ｂ、１４Ｂを端面外側パネル１２Ａ、１４Ａの内側に重ね合せるように折り曲げる。
【００２２】
また、取手付キャリー箱１０は、両端面内側パネル１２Ｂ、１４Ｂの中央に上側横辺ｈ、ｉを起点として延在するスリット５１、５２を設けるとともに、両取手パネル１８、１９の両側辺の下部に、上記スリット５１、５２と概ね同一長さをなす凸部５１Ａ、５２Ａを設ける。両取手パネル１８、１９の凸部５１Ａ、５２Ａのそれぞれを各端面内側パネル１２Ｂ、１４Ｂのスリット５１、５２に係入し、取手パネル１８、１９の抜け止めが図られる。
【００２３】
以下、取手付キャリー箱１０の組立手順（図３〜図７）について説明する。
(1)ブランク１の正面外側パネル１１Ａと背面外側パネル１３Ａと両端面外側パネル１２Ａ、１４Ａを角筒状に連設して箱胴体１０Ａを形成する（図３）。
【００２４】
(2)端面内側パネル１２Ｂ、１４Ｂを端面外側パネル１２Ａ、１４Ａの内側に重ね合せるように折り曲げ、外底パネル２１、２２と仕切パネル２３、２４を箱胴体１０Ａの下方に突き出す（図４）。
【００２５】
(3)正面内側パネル１１Ｂ、背面内側パネル１３Ｂを正面外側パネル１１Ａ、背面外側パネル１３Ａの内側に重ね合せるように折り曲げ、各内底パネル１６、１７を箱胴体１０Ａの底部１０Ｂの正面側と背面側のそれぞれ（底部１０Ｂの各半部）に敷設し、かつ各取手パネル１８、１９を箱胴体１０Ａの底部１０Ｂの中央（底部１０Ｂの各半部の境界）に立設する（図５、図６）。
【００２６】
(4)左右一方側の仕切パネル２３を各内底パネル１６、１７と各取手パネル１８、１９の左右一方側に設けたスリット３１、３２に嵌め込み、両内底パネル１６、１７の左右一方側寄りの外側に外底パネル２１を重ね合せ、かつ仕切パネル２３を箱胴体１０Ａにおける取手パネル１８、１９の両側で該箱胴体１０Ａの底部１０Ｂの左右一方側寄りに立設するように折り曲げる（図６）。
【００２７】
また、左右他方側の仕切パネル２４を各内底パネル１６、１７と各取手パネル１８、１９の左右他方側に設けたスリット４１、４２に嵌め込み、両内底パネル１６、１７の左右他方側寄りの外側に外底パネル２２を重ね合せ、かつ仕切パネル２４を箱胴体１０Ａにおける取手パネル１８、１９の両側で該箱胴体１０Ａの底部１０Ｂの左右他方側寄りに立設するように折り曲げる（図７）。
【００２８】
これにより、両取手パネル１８、１９が重ね合せ状態で立上り、取手パネル１８、１９の両側にて仕切パネル２３、２４により仕切られた各３個の物品収容区画をもつ取手付キャリー箱１０が形成される（図１）。
【００２９】
本実施例によれば以下の作用効果を奏する。
(a)取手パネル１８、１９は内底パネル１６、１７を介し、仕切パネル２３、２４は外底パネル２１、２２を介し、それぞれ、正面パネル１１と背面パネル１３と両端面パネル１２、１４からなる箱胴体１０Ａに連設一体化される。そして、取手パネル１８、１９と仕切パネル２３、２４は、接着によることなく、それらの折り曲げにより、箱胴体１０Ａの底部１０Ｂに立設して物品収容区画を形成するものであり、組立性が良い。
【００３０】
(b)箱胴体１０Ａの底部１０Ｂを構成する内底パネル１６、１７は、正面パネル１１又は背面パネル１３と、取手パネル１８、１９とに安定的に両端支持されるし、外底パネル２１、２２が外側に重ね合される。従って、これらの内底パネル１６、１７と外底パネル２１、２２の二重底からなる底強度は高く、物品収容区画に収容したびん等の物品を安定的に支持する。
【００３１】
(c)段ボール紙、板紙等のブランク１が化粧表面と、非化粧裏面とを備えるとき、キャリー箱１０の外観に表われる箱胴体１０Ａの外側面及び内側面、底部１０Ｂの上面、取手パネル１８、１９の外面の全てに化粧表面を位置づけることができ、ブランク１の一面（表面）だけに印刷処理すれば足りる等、生産性を向上できる。これは、正面パネル１１を正面外側パネル１１Ａと正面内側パネル１１Ｂとからなるものにし、正面内側パネル１１Ｂを正面外側パネル１１Ａの内側に重ね合せるように折り曲げたこと、背面パネル１３を背面外面パネル１３Ａと背面内面パネル１３Ｂとからなるものにし、背面内面パネル１３Ｂを背面外面パネル１３Ａの内側に重ね合せるように折り曲げたこと、各端面パネルを端面外面パネル１２Ａ、１４Ａと端面内面パネル１２Ｂ、１４Ｂからなるものにし、端面内面パネル１２Ｂ、１４Ｂを端面外面パネル１２Ａ、１４Ａの内側に重ね合せるように折り曲げたことによる。
【００３２】
(d)両取手パネル１８、１９の両側辺に設けた凸部５１Ａ、５２Ａを、各端面内面パネル１２Ｂ、１４Ｂのスリット５１、５２に係入したから、箱胴体１０Ａに対する取手パネル１８、１９の抜け止めの確実を図ることができる。
【００３３】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３４】
【図１】図１は取手付キャリー箱を示す斜視図である。
【図２】図２は取手付キャリー箱のブランクを示す展開図である。
【図３】図３は第１折り曲げ段階の取手付キャリー箱を示す斜視図である。
【図４】図４は第２折り曲げ段階の取手付キャリー箱を示す斜視図である。
【図５】図５は第３折り曲げ段階の取手付キャリー箱を示す斜視図である。
【図６】図６は第４折り曲げ段階の取手付キャリー箱を示す斜視図である。
【図７】図７は第５折り曲げ段階の取手付キャリー箱を示す斜視図である。
【符号の説明】
【００３５】
１０  取手付キャリー箱
１０Ａ  箱胴体
１０Ｂ  底部
１１  正面パネル
１１Ａ  正面外側パネル
１１Ｂ  正面内側パネル
１２、１４  端面パネル
１２Ａ、１４Ａ  端面外側パネル
１２Ｂ、１４Ｂ  端面内側パネル
１３  背面パネル
１３Ａ  背面外側パネル
１３Ｂ  背面内側パネル
１６、１７  内底パネル
１８、１９  取手パネル
２１、２２  外底パネル
２３、２４  仕切パネル
３０、３１、３２、４０、４１、４２  スリット
５１、５２  スリット
５１Ａ、５２Ａ  凸部
【図１】
2006103769.tif 000003
【図２】
2006103769.tif 000004
【図３】
2006103769.tif 000005
【図４】
2006103769.tif 000006
【図５】
2006103769.tif 000007
【図６】
2006103769.tif 000008
【図７】
2006103769.tif 000009